(57)【要約】      （修正有）【課題】電球笠の全長が長い場合でも十分な照明を行うことができ、また多様なデザインの電球笠への対応が可能な照明器具を提供する。【解決手段】上下方向に延在する支持部材１上には複数の開口部１１が所定の間隔で離間して設けられている。これら開口部１１に発光部材を取り付けることで、発光部材を上下方向に所定の間隔で離間させて設ける。【選択図】図５
0003114829.tif 000002
【実用新案登録請求の範囲】
【請求項１】
上下方向に延在する支持部材であって、上下方向において所定の間隔で離間して設けられた複数の支持部を備えた支持部材と、前記支持部にそれぞれ取付けられた発光部材と、前記支持部材の外側に設けられた外装部材とを備えてなる、ことを特徴とする照明器具。
【請求項２】
前記支持部が前記支持部材に形成された開口部であり、前記発光部材が電球が取付けられるソケットと、前記ソケットを前記開口部に固定するための取付具を有してなり、前記ソケットの上端部を前記開口部に挿通し、前記挿通後に前記開口部から出た前記上端部に前記取付具を螺着し、前記開口部を前記取付具で締め付けてソケットを固定保持するようにした、ことを特徴とする請求項１記載の照明器具。
【考案の詳細な説明】
【技術分野】
【０００１】  本考案は照明器具に関する。
【背景技術】
【０００２】  従来、照明器具は１つの電球（白熱電球、蛍光灯など）を用いたものが一般的である。複数（例えば２つ）の電球を用いた照明器具もあるが、これは、複数の電球を点灯することで照度を大きくしたり、あるいは複数の電球の全部または一部を点灯させることで照度を段階的に変えることを主な目的とする構成であり、また複数の電球は通常は近接して並べた状態で配置されている。
【考案の開示】
【考案が解決しようとする課題】
【０００３】
【０００４】  ところで、最近では、照明器具を室内のインテリアの一部として用いるなどの観点から、多様な形の照明器具が用いられており、例えば上下方向に長く延在する電球笠を用いた照明器具が用いられている。【０００５】  しかしながら、１つの電球、または近接して並んだ複数の電球を用いる上記従来の照明器具では、電球笠の全長が上下に長い場合には、電球の明るさが電球笠の一部にしか届かないために、純粋なインテリアとして用いる場合は別として、照明器具として必要とされる十分な明るさを確保することが難しい。また電球が配置される位置が実質的に１箇所であることから、多様なデザインの電球笠に対応することが困難であるなどの欠点があった。【０００６】  そこで、本考案は、電球笠の全長が長い場合でも十分な照明を行うことができ、また多様なデザインの電球笠への対応が可能な照明器具を提供することを課題とする。
【課題を解決するための手段】
【０００７】  上記課題を解決するため、本考案の請求項１記載の照明器具は、上下方向に延在する支持部材であって、上下方向において所定の間隔で離間して設けられた複数の支持部を備えた支持部材と、前記支持部にそれぞれ取付けられた発光部材と、前記支持部材の外側に設けられた外装部材とを備えてなる、ことを特徴とする。なお、発光部材は、例えば、電球やＬＥＤ（発光ダイオード）などの発光部と、この発光部が取り付けられる例えばソケットなどの本体部分とから構成されるものが使用される。
請求項２記載の照明器具は、前記支持部が前記支持部材の支持部に形成された開口部であり、前記発光部材が電球が取付けられるソケットと、前記ソケットを前記開口部に固定するための取付具とを有してなり、前記ソケットの上端部を前記開口部に挿通し、前記挿通後に前記開口部から出た前記上端部に前記取付具を螺着し、前記開口部を取付具を締め付けて固定保持するようにしたことを特徴とする。
【考案の効果】
【０００８】  請求項１記載の照明器具は、上下方向に延在する支持部材に所定の間隔で離間して設けた支持部に発光部材を取付ける構成であり、これにより、発光部材は所定の間隔で離間して連設された状態となる。このため、外装部材（電球笠）が長い場合であっても外装部材の長さ方向に適宜な間隔で発光部材を配置することで容易に対応できるという効果がある。【０００９】  請求項２記載の照明器具は、さらに、支持部材に形成した開口部に発光部材のソケットの上端部を挿通し取付ける構成としたので、発光部材の支持部材への取付けを容易に行えるという効果がある。
【考案を実施するための最良の形態】
【００１０】  以下に、本考案の好適な実施形態を図面を用いて詳細に説明する。
図１から図６に、実施形態の照明器具を示した。この照明器具は、支持部材１、発光部材２、外装部材３、電源コード部４、スタンド部５などから構成される。【００１１】  支持部材１は、上下方向に延在する略棒状のものであり、その所定箇所、図示例では上端と下端に支持部１ａが備えられ、前記支持部１ａには、開口部１１がそれぞれ形成されている。この開口部１１の内径は、ソケット２１上端部２１ａの外径よりやや大きい寸法となっている。図示例では所定の直径の線材を上記形状に折曲形成したものである。【００１２】  発光部材２は、図示例では、ソケット２１、ソケット２１の上端部２１ａに取付けられる電球２２、ソケット２１を開口部１１に固定するための取付具２３などから構成されている。ソケット２１は、電源コード部４の一端が接続されたソケットキャップ２１ｂを有してなり、またソケットキャップ２１ｂと上端部２１ａとの間には係止面２１ｃが形成されている。前記上端部２１ａの外周には、雄ネジ２１ｄが設けられている。【００１３】  電球２２は、白熱電球や蛍光灯などの適宜なものを使用することができる。取付具２３は、合成樹脂などで作られたリング状のものであり、その内径は上端部２１ａの外径よりやや大きい。また取付具２３の内周面には上端部２１ａの雄ネジ２１ｄと螺合する雌ネジ２１ｅが形成されている。さらに、取付具２３の外周には、略等間隔で突起２３ｂが形成されている。この突起２３ｂは後述するように取付具２３をソケット２１に上端部２１ａに螺合する際の作業者の指の滑り止めとして機能する。【００１４】  外装部材３は、所謂電気笠であり、プラスチック、布、あるいは木などの材料で作られてた公知の形状ないし構造のものであり、支持部材１より長い上下方向の長さを有し、また下端部はスタンド５部上に載置される。【００１５】  電源コード部４は、中間スイッチ４１とプラグ部４２とを有している。この電源コード４と発光部材２（ソケット２１）との電気接続は図６に示した通りである。すなわち、上下に配置された２つのソケット２１にはそれぞれ設けられた（−）端子の間、および（＋）端子の間は、それぞれ並列接続されている。そして、下側に配置されたソケット２１の（−）端子と（＋）端子は電源コード部４に接続される。【００１６】  スタンド部５は、リング状のもので、中央部には支持部材１の一端（下端）が固定される固定部５１が、また外周下側には脚部５２（図示例では略等間隔で円周上に設けられた３つの脚部）が、それぞれ形成されている。固定部５１は図示例では支持部材１の支持部１ａの開口部１１と略同じ内径の輪部を有している。【００１７】  以上の構成である実施形態の照明器具において、図３を特に参照して、支持部材１の支持部１ａの開口部１１に発光部材２を取付ける手順を説明すれば次の通りである。すなわち、まずソケット２１から電球２２と取付具２３を取り外した状態とする。この状態で、ソケット２１の上端部２１ａの側から開口部１１に挿通し、係止面２１ｃにより開口部１１を係止させる。次いで取付具２３を前記上端部２１ａの外周に螺着させ、この取付具２３と係止面２１ｃとの間で挟持された開口部１１が締め付けられるまで取付具２３をねじ込む。締め付け���完了することで、ソケット２１が開口部１１に固定された状態となる。【００１８】  一方、図１を特に参照して、下側の開口部１１においては、開口部１１とスタンド部５の固定部５１とを上下に重ねると共に、開口部１１の開口と固定部５１の開口とを位置合わせした状態で、これら開口にソケット２１の上端部２１ａを下から挿通し、上記同様にして、取付具２３と係止面２１ｃとの間の締め付け、開口部１１、スタンド部５の固定部５１、ソケット２１が一体に固定される。【００１９】  支持部材１は１本に限らず、２本の支持部材１を、それぞれの上下の開口部１１を介して３個の発光部材２を取り付けていけば、３個の電球２２の位置を、さらに上下方向に長く配置して、全長の長い外装部材３（電球笠）に対応できる。【００２０】  外装部材３（電球笠）のスタンド部５の固定部５１とを、支持部材１を介して下側のソケット２１を取付けた図１によれば、前記支持部材１の上方にソケット２１を取付けられるから、前記上方のソケット２１を外装部材３に取付けるための上方の固定部５１は必要がなくなるので、材料の節約ともなり、製作も容易になる。
【図面の簡単な説明】
【００２１】
【図１】  本考案の実施形態の照明器具を示した一部切欠した場合の斜視図である。
【図２】  スタンド部の斜視図である。
【図３】  支持部材の上部にソケットを取り付けた場合の要部の一部正面図である。
【図４】  支持部材の上部にソケットを取り付け、ソケットより取付具を取外した場合の要部の一部斜視図である。
【図５】  支持部材の斜視図である。
【図６】  本考案のソケットの電気接続の説明図である。
【符号の説明】
【００２２】１      支持部材
１ａ    支持部
２      発光部材
３      外装部材
４      電源コード部
５      スタンド部
１１    開口部
２１    ソケット
２１ａ  上端部
２１ｂ  ソケットキャップ
２１ｃ  係止面
２１ｄ  雄ネジ
２１ｅ  雌ネジ
２２    電球
２３    取付具
２３ｂ  突起
４１    中間スイッチ
４２    プラグ部
５１    固定部
５２    脚部
【図１】
0003114829.tif 000003
【図２】
0003114829.tif 000004
【図３】
0003114829.tif 000005
【図４】
0003114829.tif 000006
【図５】
0003114829.tif 000007
【図６】
0003114829.tif 000008